(57)【要約】      （修正有）【課題】殺虫剤が雨や散水の影響を受けずに、長期にわたり殺虫効果が持続するナメクジ殺虫剤補助具を提供する。【解決手段】ナメクジ殺虫剤２を載せる薬皿１と薬皿に被せる被覆体３とからなるナメクジ殺虫剤補助具であって、薬皿はその外縁上部の少なくとも１か所に欠損部５を有し、被覆体は、その内部の高さは薬皿より高く、その外縁下部の少なくとも１か所に欠損部４を有し、薬皿と被覆体とは、相互間に空隙が確保される寸法を有し、同一床面に載置されたものである。【選択図】図１
0003227723.tif 000002
【実用新案登録請求の範囲】
【請求項１】
ナメクジ殺虫剤を載せる薬皿と薬皿に被せる被覆体とからなるナメクジ殺虫剤補助具であって、薬皿はその外縁上部の少なくとも１か所に欠損部を有し、被覆体は、その内部の高さは薬皿より高く、その外縁下部の少なくとも１か所に欠損部を有し、薬皿と被覆体とは、相互間に空隙が確保される寸法を有し、同一床面に載置されたものであることを特徴とするナメクジ殺虫剤補助具。
【請求項２】
前記薬皿はその外縁上部の少なくとも１か所に跳ね水防止庇を有することを特徴とする請求項１に記載のナメクジ殺虫剤補助具。
【請求項３】
前記被覆体は植木鉢の鉢受皿であることを特徴とする請求項１または請求項２に記載のナメクジ殺虫剤補助具。
【考案の詳細な説明】
【技術分野】
【０００１】      本考案はナメクジ殺虫剤の効果を持続させ高める補助具に関する。
【背景技術】
【０００２】      ナメクジ殺虫剤はナメクジの出そうな所へばらまくようにして使うことが多かった。しかし、このような場合、殺虫剤は雨や散水の水に濡れると溶けて効果がなくなるので、降雨や散水の前には使えないなどの制約があった。この問題の解決の技術として、特許文献１には平底皿の上部に逆椀状の被覆体を取り付け殺虫剤に水が掛からないようにし、殺虫剤の溶出や無効化を軽減することが開示されている。
【先行技術文献】
【特許文献】
【０００３】
【特許文献１】登録実用新案公報第３０３２６１０号
【考案の概要】
【考案が解決しようとする課題】
【０００４】    特許文献１の容器は被覆体底縁全周が床面から離れているので雨や散水の跳ね水等が横上部から平底皿に入り、殺虫剤が濡れて溶けてしまいその効果を失う恐れが極めて大きい。また、形態に美観への配慮がされていないので庭園や花壇などに置いた場合違和感があり美観を損ねる。
本考案は上記の従来技術の問題点である殺虫剤が跳ね水等に濡れると溶けて効果がなくなるということ、容器が美観を損ねるということなどの問題を解決することの出来るナメクジ殺虫剤補助具を提供することを目的とする。
【課題を解決するための手段】
【０００５】    上記目的を達成するために、本考案１はナメクジ殺虫剤を載せる薬皿と薬皿に被せる被覆体とからなるナメクジ殺虫剤補助具であって、薬皿はその外縁上部の少なくとも１か所に欠損部を有し、被覆体は、その内部の高さは薬皿より高く、その外縁下部の少なくとも１か所に欠損部を有し、薬皿と被覆体とは、相互間に空隙が確保される寸法を有し、同一床面に載置されたものである（請求項１）。【０００６】    本考案２は、前記薬皿はその外縁上部の少なくとも１か所に跳ね水防止庇を有する（請求項２）。【０００７】    本考案３は、前記被覆体は植木鉢の鉢受皿である（請求項３）。
【考案の効果】
【０００８】    従来のようにナメクジ殺虫剤をそのままばらまいて使用すると、殺虫剤は雨や散水の水に溶けて効果がなくなるものであった。その対策として考案された特許文献１のような容器を使用しても跳ね水等が掛かり、殺虫剤の効果は失われた。
本考案は被覆体の外縁下部の一部のみに欠損部（ナメクジの入口）を設けているため跳ね水は内部に殆ど入らない。仮に多少入ることがあっても薬皿の壁でさえぎられる。薬皿外縁上部の一部には欠損部（ナメクジの通り道）を設けているが、被覆体の欠損部と薬皿の欠損部の位置を離せば殺虫剤に跳ね水が薬に掛かることはほぼ完全に防止できる。さらに水勢が強い場合を想定するならば、薬皿の外縁上部に跳ね水防止庇を設ければよい。以上により、殺虫剤は水に溶けることなく、効果が長く持続し経済的である。薬皿も長期間使えるので清掃などの手間が省ける。
さらに本考案の補助具を庭園や花壇に置いた場合、美観を損ねることは少なく、被覆体の形状や色を工夫すればさらに美観を高めることもできる。例えば、被覆体を植木鉢の鉢受皿とし、植栽した植木鉢を置けば美観を損なわず環境に調和させることができる。レンガ状や置き石状にすれば環境に調和し違和感を生じない。サイコロ状や釣鐘状等の特殊な形状とすることも一興である。
薬皿は安価な使い捨て容器を使うことも可能である。
【図面の簡単な説明】
【０００９】
【図１】薬皿に被覆体を被せた断面図
【図２】被覆体の斜視図
【図３】図１の中間高さ部の平面断面図
【図４】殺虫剤を薬皿に入れたときの斜視図
【図５】被覆体がサイコロ状の斜視図
【図６】被覆体が釣鐘状の正面図
【図７】薬皿に鉢受皿を被せた断面図
【図８】薬皿に鉢受皿を被せたときの中間高さ部の平面断面図
【図９】鉢受皿の斜視図
【考案を実施するための形態】
【００１０】以下本考案の実施の形態を図面に基づいて説明する。ただし、本考案の技術的範囲は以下の実施形態に示した具体的な形状・寸法などには限定されない。
【実施例１】
【００１１】図１〜図４は薬皿１及び被覆体３ともに平たい円筒状の例である。薬皿１はナメクジ殺虫剤２を入れるもので、被覆体３は薬皿１に被せて使うもので、その外縁下部にナメクジが入るための欠損部４がある。薬皿１にはナメクジ殺虫剤を入れ、ナメクジが出そうな場所へ置き、被覆体３を被せて使うもので、薬皿１には図３〜図４のように外縁上部の一部に欠損部５を設け、好ましくはそのほぼ反対側に跳ね水防止庇６を設ける。跳ね水防止庇６は、雨や散水の水勢が極めて強い場合に有効である。跳ね水防止庇６は、被覆体の欠損部４からの跳ね水を有効に止めるよう欠損部４と対向させる。また、跳ね水防止庇６は薬皿１を被覆体３の内壁に密着させず、この跳ね水防止庇６があることにより被覆体３の欠損部４から入ったナメクジは薬皿１と被覆体３の隙間を支障なく通ることができ、殺虫剤２に誘われて薬皿１に至り、殺虫剤２を摂食して死ぬ。
被覆体３の形状、色彩は種々な態様が可能であり、美的要素を取り込めば庭園や花壇の美観を高めることも出来る。
【実施例２，３】
【００１２】図５は被覆体３をサイコロ状とした例である。
図６は被覆体３を釣鐘状とした例である。
いずれも庭園や花壇に置いても違和感なく興趣を加えることができる。
【実施例４】
【００１３】図７〜図９は被覆体３を植木鉢７の鉢受皿８とした例である。鉢受皿８は図７に示すように底を上げて中底９とし、中底９に植木鉢７を置き、外周壁１１により植木鉢７の落下を防ぐ。中底９に植栽した植木鉢７を置くことにより庭園や花壇の美観を高めることができる。
中底９の下部空間に、殺虫剤２を入れた薬皿１を置き、組み合わせて使うもので、実施例１と同様効果をもち殺虫剤２の節約、有効利用により経済的である。
本考案の補助具の材質は特に限定されず、プラスチック、金属、陶磁器等いずれでもよい。
【符号の説明】
【００１４】  １  薬皿
２  殺虫剤
３  被覆体
４  被覆体の欠損部
５  薬皿の欠損部
６  薬皿の跳ね水防止庇
７  植木鉢
８  鉢受皿
９  鉢受皿の中底
１０  鉢受皿の欠損部
１１  鉢受皿の外周壁
【図１】
0003227723.tif 000003
【図２】
0003227723.tif 000004
【図３】
0003227723.tif 000005
【図４】
0003227723.tif 000006
【図５】
0003227723.tif 000007
【図６】
0003227723.tif 000008
【図７】
0003227723.tif 000009
【図８】
0003227723.tif 000010
【図９】
0003227723.tif 000011